(57)【要約】【課題】従来の無呼吸検出装置に電源スイッチが主たる面に配置されており、不用意に押されて作動が止められることがあった。【解決手段】被験者の呼吸を含む体動を検出して検出信号を出力する検出マットと、前記検出信号に基づく検出値が所定の閾値に満たない場合に無呼吸状態であると判定する無呼吸検出モニターとからなる無呼吸検出装置で、前記モニターには前記無呼吸検出装置を起動する電源スイッチと、被験者の無呼吸状態が所定時間以上継続すると被験者に体動を促すアラームを停止するアラーム停止スイッチが設けられ、前記電源スイッチを前記アラーム停止スイッチとは異なる面に配設された、さらに前記電源スイッチは主たる面になく不用意に押されて止められることがなかった。【選択図】図１
2011083310.tif 000002
【特許請求の範囲】
【請求項１】
被験者の呼吸を含む体動を検出して検出信号を出力する検出マットと、前記検出信号に基づく検出値が所定の閾値に満たない場合に無呼吸状態であると判定する無呼吸検出モニターと、からなる無呼吸検出装置で、前記モニターには前記無呼吸検出装置に給電するために作動する電源スイッチと、被験者の無呼吸状態が所定時間以上継続すると被験者に前記体動を促すアラームを停止するアラーム停止スイッチが設けられ、前記電源スイッチを前記アラーム停止スイッチとは異なる面に配設した無呼吸検出装置。
【請求項２】
さらに、前記アラーム停止スイッチは前記電源スイッチよりも大きい請求項１に記載の無呼吸検出装置。
【請求項３】
前記アラーム停止スイッチが配された面は前記電源スイッチが配された面よりも広い面である請求項１に記載の無呼吸検出装置。
【発明の詳細な説明】
【技術分野】
【０００１】
本発明は、被験者の無呼吸状態を呼吸等の体動により検出し、無呼吸状態を警報等で知
らせ、被験者の前記体動を促す無呼吸検出装置に関する。
【背景技術】
【０００２】
ここ数年、欧米諸国では、新生児のみならず、成人も突然死症候群にかかる人も多くなってきている。このような状況で、病院や家庭で、新生児の呼吸を２４ 時間容易に監視でき、かつ、呼吸をしていない状態、すなわち、無呼吸状態を知ることができる無呼吸検出装置の必要性が高まってきている。特に、無呼吸状態とは、睡眠中に、皆が気づかないうちに呼吸が停止または低呼吸になる恐ろしい病気であり、これを避けるために無呼吸検出装置は利用されている。
【０００３】
従来例を図９で示し、無呼吸検出モニター４０は不図示のその内部に設けた感圧パイプの圧力変動を捉える圧力センサーを備えるとともに、この圧力センサーからの電気信号を処理する電気回路４１ 、無呼吸状態を外部に知らせるための警報ブザー４２およびＬＥＤ４３、後述の表示制御部とともに表示手段を構成するＬＣＤ４４、これらに電源供給を行う不図示の電池、電源のオンオフ操作を行う電源キー４５ 、モード切り換えを行うモードキー４６、各種設定を行う設定キー４７および設定２キー４８を備えている。また不図示の検出マットで検出した圧力を受ける圧力センサー４９と前記検出マットと前記モニターを接続する連結パイプ５０が設けられている。
【先行技術文献】
【特許文献】
【０００４】
【特許文献１】特許３６３４２０４号公報
【発明の概要】
【発明が解決しようとする課題】
【０００５】
以上に述べた特許文献１では、電源をオンオフする電源スイッチの役目をする電源キーが前記モニターのＬＣＤ４４、ＬＥＤ４３のような表示部がある面に配置されており、この状態では睡眠中に目を覚ましたとき、警告ブザーを触るときに、不用意に触って電源をオフしてそれ以降は無呼吸を検出できない危険性がある。
【０００６】
本発明は、このような従来の構成が有していた問題を解決しようとするものであり、無呼吸検出装置の電源をオンにして使用状態にあるときに、不用意に電源をオフしないように他の操作スイッチのある面と異なる面で、目だたない面に電源スイッチを配することを目的とするものである。
【課題を解決するための手段】
【０００７】
本発明の請求項１は、被験者の呼吸を含む体動を検出して検出信号を出力する検出マットと、前記検出信号に基づく検出値が所定の閾値に満たない場合に無呼吸状態であると判定する無呼吸検出モニターとからなる無呼吸検出装置で、前記モニターには前記無呼吸検出装置を起動する電源スイッチと、被験者の無呼吸状態が所定時間以上継続すると被験者に体動を促すアラームを停止するアラーム停止スイッチが設けられ、前記電源スイッチを前記アラーム停止スイッチとは異なる面に配設された無呼吸検出装置を提供するものである。
【０００８】
請求項２は、さらに、前記アラーム停止スイッチは前記電源スイッチよりも大きい請求項１に記載の無呼吸検出装置を提供するものである。
【０００９】
請求項３は、前記アラーム停止スイッチが配された面は前記電源スイッチが配された面よりも広い面である請求項１に記載の無呼吸検出装置を提供するものである。
【発明の効果】
【００１０】
上述したように、本発明の無呼吸検出装置は電源をオンにして操作中に不用意に電源スイッチに触って電源をオフしないスイッチの配置にしている。特に夜に無呼吸が検出され、警告ブザーが鳴って止めたつもりが電源スイッチを誤って押して、無呼吸を検出した後の無呼吸検出装置を操作できなくなるような危険性を少なくした効果を有する。
【図面の簡単な説明】
【００１１】
【図１】本発明の無呼吸検出装置を使用したときの概念図
【図２】本発明に使用する無呼吸検出モニターの外観図
【図３】本発明に使用するセンサーマットの外観図
【図４】本発明で使用される無呼吸検出モニター
【図５】本発明の作動を示すブロック図
【図６】本発明の無呼吸検出装置の信号の流れを示すフローチャート
【図７】本発明の無呼吸検出装置のセンサーマットからの信号をＡ／Ｄ変換する前の信号例で無呼吸と判定した例を示す図
【図８】本発明の無呼吸検出装置のセンサーマットからの信号をＡ／Ｄ変換する前の信号例で無呼吸でないと判定した例を示す図
【図９】従来例を示す図
【発明を実施するための形態】
【実施例】
【００１２】
図１は本発明の無呼吸検出装置を使用したときの概念図である。
１はベッドで、２は、あお向けに寝ている被験者の無呼吸を検出するセンサーマットで、被験者があお向けに寝てそのセンサーマット２に背中を向ける。３は無呼吸検出モニターであり、センサーマット２で取得されたデータを４で示すコードで接続した無呼吸検出モニター３で判断して後述するバイブレータ、アラームを作動させる。５は電源スイッチであり、６は後述する被験者の無呼吸が発生した時に作動するアラーム発音体で、７はアラーム発音体６の作動を止めるアラーム停止スイッチである。
【００１３】
図２は本発明の無呼吸検出装置に用いられる無呼吸検出モニター３を示す。
センサーマット２に、被験者が上向きに背中をつけた状態であお向けに寝かせ、センサーマット２から延びたコード４を、コード接続部４Ａに接続されたことを確認し、電源スイッチ５をオンさせる。８は運転スイッチで、センサーマット２の後述する無呼吸検出センサーによる検出作動を開始するスイッチを示す。９は長押しすると過去の無呼吸のデータを表示する表示スイッチで、１０は消去したいデータを消去する消去スイッチを示す。１１は日時を設定する日時設定ボタンで、１２は時刻の分を設定する分設定ボタンを示し、１３はＬＣＤ表示器を示す。
【００１４】
図３はセンサーマット２を示し、センサーマットの上に横たわった被験者の背中をＢで示し、１４はピエゾケーブルで無呼吸を検出する無呼吸検出センサーを示し、１５は被験者が無呼吸状態であることが検出されたときに被験者に対して背中から刺激を与えて体動を促すバイブレータを示す。
【００１５】
図４は、本発明において無呼吸検出センサーとして同軸ケーブル状で構成され、電磁ノイズ環境下で使用可能なピエゾケーブル１４を用いる。
【００１６】
ピエゾケーブル１４は圧電素子を内蔵したケーブルである。ピエゾケーブル１４の断面図に示すように芯線２０及びその周囲に被覆された圧電素子であるピエゾ材料２１に対して外被層２３が配設されており、編み線２２が芯線２０を取り巻いており、その周囲の何れの位置にでも圧力が加われば、編み線２２と芯線２０の間に配されたピエゾ材料２１が受けた力に応じた電圧変位が発生する。すなわち、ピエゾケーブル１４に衝撃が加えられたり、引っ張られたりすると、内蔵された圧電素子に、それらの力の大きさに比例して電圧変位が生じる。
【００１７】
図５は本発明の無呼吸検出装置の作動を示すブロック図を示す。
【００１８】
本発明の無呼吸検出装置は、センサーマット２と無呼吸検出モニター3とに分かれており、センサーマット２には、無呼吸を検出するピエゾケーブル１４と無呼吸の被験者に体動を促すため振動を与えるバイブレータ１５が配されている。
【００１９】
無呼吸検出モニター３は電源スイッチ５に接続された３５で示す電源回路が設けられていて、３０で示す制御部およびピエゾケーブル１４とバイブレータ１５に給電している。電源スイッチ５をオンすることにより電源回路３５より制御部３０に所定の電圧が給電され、運転スイッチ８をオンすることによりピエゾケーブル１４とバイブレータ１５に駆動電圧が給電される。
【００２０】
制御部３０に対してアラーム発音体６、アラーム停止スイッチ７、運転スイッチ８、表示スイッチ９、消去スイッチ１０、日時調整スイッチ１１、分調整スイッチ１２、アラーム発生部３３、ＬＣＤ制御部３４、電源回路３５、後述するＡ／Ｄ変換器３８の出力が接続している。
【００２１】
ピエゾケーブル１４で被験者の呼吸に基づく振動信号を３６で示す増幅器で増幅し、３７で示すバンドパスフィルタを介して得た信号を３８で示すＡ／Ｄ変換器により、デジタル信号に変換し制御部３０に入力する。制御部３０で無呼吸状態か否かを判定し、無呼吸状態であると判定されたときはバイブレータ１５を振動させ、３２で示すアラームに対して３３で示すアラーム発生部により作動させ音声を出力する。また３４で示すＬＣＤ制御部を作動させてＬＣＤ１３に表示させる。
【００２２】
アラーム発音体６を停止させるアラーム停止スイッチ７が制御部３０に入力され、アラーム停止スイッチ７をオンさせるとアラーム発音体６の作動を停止させる。
【００２３】
図６は本発明の無呼吸検出装置で、制御部３０の制御の内容を示すフローチャートである。
【００２４】
Ｓ１で電源スイッチ５をオンすると、Ｓ２で制御部３０に電源回路３５より給電する。次にＳ３で運転スイッチ７をオンすると、同じく電源回路３５によりセンサーマット２に配されたピエゾケーブル１４及びバイブレータ１５にコード４を介して給電する。
【００２５】
Ｓ４は初期状態を示し、Ｓ５で一定時間毎にベッド１に上向きに寝ている被験者の背中近辺に敷かれたセンサーマット２に配されたピエゾケーブル１４に発生する電圧を増幅器３６で増幅後、バンドバスフィルタ３７でフィルタリングして後、Ａ／Ｄ変換器３８を経て制御部３０に入力し、制御部３０で無呼吸判定を行い、Ｓ６で示すように測定開始から所定時間、ここではＴ時間継続するとＳ７のようにバイブレータ１５を作動させ刺激Ｓを与えると同時にアラームを鳴らせ被験者の体動を促す。
【００２６】
そこでＳ８に示すようにアラーム停止スイッチ７を押すとＳ４に示すように初期状態に戻る。
【００２７】
もしもＳ８でアラーム停止スイッチ７を押さなければ、Ｓ９に示すように一定時間毎にベッド１に上向きに寝ている被験者の背中近辺に敷かれたセンサーマット２に配されたピエゾケーブル１３に発生する電圧を増幅器３６で増幅後、バンドバスフィルタ３７でフィルタリングして後、Ａ／Ｄ変換器３８を経て制御部３０に入力する。制御部３０は、Ｓ１０で示すように、その状態が測定開始から所定時間、ここでは２Ｔ時間継続するとＳ１１のようにバイブレータ１５を作動させ、刺激Ｓより大きい刺激Ｍを与えると同時にアラームを鳴らせ被験者の体動を促す。
【００２８】
そこでＳ１２のようにアラーム停止スイッチ７を押すとＳ４に戻る。
【００２９】
もしもアラーム停止スイッチ７を押さなければ、Ｓ１３に示すように一定時間毎にベッド１に上向きに寝ている被験者の背中近辺に敷かれたセンサーマット２に配されたピエゾケーブル１３に発生する電圧を増幅器３６で増幅後、バンドバスフィルタ３７でフィルタリングの後、Ａ／Ｄ変換器３８を経て制御部３０に入力する。制御部３０は、Ｓ１４で示すように、その状態が測定開始から所定時間、ここでは３Ｔ時間継続するとＳ１５のようにバイブレータ１５を作動させ、刺激Ｍより大きい刺激Ｌを与えると同時にアラームを鳴らせ被験者の体動を促す。
【００３０】
そこでＳ１６のようにアラーム停止スイッチ７を押すと、Ｓ４に戻る。
もしもここでも被験者または周りの者が気づかなかった場合にはＳ１７に示すように別途救急体制の作動を要請する。
【００３１】
図７は無呼吸と判定した例で、ピエゾケーブル１３に発生した電圧を増幅回路３６で増幅し、バンドパスフィルタ回路３７で処理した後、Ａ／Ｄ変換回路でデジタル値に変換する前の信号を表し、横軸は時間で５目盛が２．５秒で、縦軸はピエゾケーブルに発生した電圧でピークボトムの差が２８０ｍＶであることを示している。
【００３２】
図８は無呼吸でないと判定した例で、ピエゾケーブル１４に発生した電圧を増幅回路３６で増幅し、バンドパスフィルタ回路３７で処理した後、Ａ／Ｄ変換回路でデジタル値に変換する前の信号を表し、横軸は時間で５目盛が２．５秒で、縦軸はピエゾケーブルに発生した電圧でピークボトムの差が１．５６Ｖであることを示している。
【符号の説明】
【００３３】
１・・・・・・・・ベッド
２・・・・・・・・センサーマット
３・・・・・・・・無呼吸検出モニター
４・・・・・・・・コード
５・・・・・・・・電源スイッチ
６・・・・・・・・アラーム発音体
７・・・・・・・・アラーム停止スイッチ
８・・・・・・・・運転スイッチ
９・・・・・・・・表示スイッチ
１０・・・・・・・消去スイッチ
１１・・・・・・・日時設定ボタン
１２・・・・・・・分設定ボタン
１３・・・・・・・ＬＣＤ表示器
１４・・・・・・・ピエゾケーブル
１５・・・・・・・バイブレータ
２０・・・・・・・芯線
２１・・・・・・・ピエゾ材料
２２・・・・・・・編み線
２３・・・・・・・外被層
３０・・・・・・・制御部
３３・・・・・・・アラーム発生部
３４・・・・・・・ＬＣＤ制御部
３５・・・・・・・電源回路
３６・・・・・・・増幅回路
３７・・・・・・・バンドパスフィルタ回路
３８・・・・・・・Ａ／Ｄ変換器
【図１】
2011083310.tif 000003
【図２】
2011083310.tif 000004
【図３】
2011083310.tif 000005
【図４】
2011083310.tif 000006
【図５】
2011083310.tif 000007
【図６】
2011083310.tif 000008
【図７】
2011083310.tif 000009
【図８】
2011083310.tif 000010
【図９】
2011083310.tif 000011